(57)【要約】【課題】  商品陳列装置において、標準棚板の前端部に取り付けられる補助棚板を水平状態を保って強固に、かつ、着脱自在に取り付けることができるようにする。【解決手段】  標準棚板５の前片５ａに補助棚板６を前方に延出するようにして取り付けた商品陳列装置において、標準棚板５の前端部５ａに取り付けた名札差し７と標準棚板５との間に形成された上方に開口する係合溝８内に、補助棚板６の後端部に設けた下向きの差し込み片１０を上方より着脱自在に嵌入させて補助棚板６を標準棚板５の前端部５ａに取り付けるとともに、名札差し７側から前方に向かって補助棚板６の下側に沿って水平に配置され、かつ補助棚板６を下面側から水平に保持する保持部材１４を、名札差し７に着脱自在に取り付けた商品陳列装置。【選択図】  図３
2006223695.tif 000002
【特許請求の範囲】
【請求項１】
前面に名札差しを取り付けた標準棚板の前端部に、補助棚板を前方に延出するようにして取り付けた商品陳列装置において、
前記標準棚板の前端部と名札差しとの間に左右方向を向く係合溝を形成し、この係合溝内に、前記補助棚板の後端に設けた下向きの差し込み片を着脱自在に嵌入させて前記補助棚板を標準棚板の前端部に取り付けるとともに、前記名札差しより前方に向かって前記補助棚板の下側に沿って配置され、該補助棚板を下面側から保持する保持部材を、前記名札差しに着脱自在に取り付けたことを特徴とする商品陳列装置。
【請求項２】
補助棚板の後端部に、名札差しの前下端部に係合することにより、前記補助棚板が前記名札差しに対して上方へ移動するのを阻止するとともに、前下方に回動するのを阻止する係合部材を設けた請求項１記載の商品陳列装置。
【請求項３】
保持部材に、名札差しを前記保持部材の一部とともに前後方向から挟持し、該保持部材を前記名札差しに対して着脱自在に取り付けるための締着手段を設けてなる請求項１または２のいずれかに記載の商品陳列装置。
【請求項４】
締着手段が、保持部材に螺着された固定ねじであり、該固定ねじを係合部材の取付孔を貫通させて設けてなる請求項３記載の商品陳列装置。
【請求項５】
締着手段が、保持部材に設けたねじ孔に螺合する固定ねじであり、該固定ねじを係合部材に圧着させ、前記固定ねじによる前記係合部材への圧着と、前記保持部材の一部による前記名札差しへの圧着とにより、前記名札差しを挟持し、前記保持部材を前記名札差しに取り付けてなる請求項３記載の商品陳列装置。
【請求項６】
保持部材が、名札差し側から後方に向かって標準棚板の下側に沿って水平に配置され、前記標準棚板を下側から水平に保持するようにした標準棚板用保持部を備えている請求項１〜５のいずれかに記載の商品陳列装置。
【請求項７】
補助棚板の前端部に補助棚板用名札差しを設けてなる請求項１〜６のいずれかに記載の商品陳列装置。
【発明の詳細な説明】
【技術分野】
【０００１】
本発明は、オープンショーケースや商品陳列棚等における標準の棚板の前端部に補助棚板を前方に延出するようにして取り付けた商品陳列装置に関する。
【背景技術】
【０００２】
スーパーマーケットやコンビニエンスストア等において、オープンショーケースや商品陳列棚等として標準に設置されている棚板、すなわち標準棚板の前端部に補助棚板を取り付け、陳列棚のラインを変えることにより、客の目を、強調したい商品に向かせることができるようにする陳列方法は従来から知られている（例えば、特許文献１、特許文献２参照）。
【０００３】
特許文献１に記載されている補助棚板の取付構造では、補助棚板の後端部を標準棚板の前面に当接して重ね合わせ、この重ね合わせた状態で、補助棚板の後端部と標準棚板の前端部とを、前後方向から連結部材で挟み込んで固定するようになっている。
【０００４】
特許文献２に記載されている補助棚板の取付構造では、補助棚板の後端部に設けた多数の突起を、棚板本体の前部に設けた多数の孔に嵌挿して固定するようになっている。
【特許文献１】特開２０００−３２５１９０号公報
【特許文献２】実用新案登録第３０８３５４０号公報
【発明の開示】
【発明が解決しようとする課題】
【０００５】
しかし、特許文献１に記載されている補助棚板の取付構造では、補助棚板の後端部と棚板本体の前端部とを重ね合わせ、その重ね合わせた部分を前後方向から連結部材で挟み、片持ち状態で固定をするようになっているるので、強度的に弱い。そのため、補助棚板の先端側に大きな力が加わると、先端側が下に傾いた状態、すなわち前垂れが発生し易いという問題がある。
【０００６】
一方、特許文献２に記載されている補助棚板の取付構造では、棚板本体の孔に補助棚板の突起を嵌挿して固定をするようになっているので、孔から突起が外れて、補助棚板が脱落し易いという問題がある。
【０００７】
本発明は、上述のような従来の課題を解決するためになされたもので、標準棚板の前端部に補助棚板を水平状態を保って強固に、かつ、着脱可能に取り付けることができるようにした商品陳列装置を提供することを目的としている。
【課題を解決するための手段】
【０００８】
本発明によると、上記課題は、次のようにして解決される。
（１）前面に名札差しを取り付けた標準棚板の前端部に、補助棚板を前方に延出するようにして取り付けた商品陳列装置において、前記標準棚板の前端部と名札差しとの間に左右方向を向く係合溝を形成し、この係合溝内に、前記補助棚板の後端に設けた下向きの差し込み片を着脱自在に嵌入させて前記補助棚板を標準棚板の前端部に取り付けるとともに、前記名札差しより前方に向かって前記補助棚板の下側に沿って配置され、該補助棚板を下面側から保持する保持部材を、前記名札差しに着脱自在に取り付ける。
【０００９】
（２）上記(１)項において、補助棚板の後端部に、名札差しの前下端部に係合することにより、前記補助棚板が前記名札差しに対して上方へ移動するのを阻止するとともに、前下方に回動するのを阻止する係合部材を設ける。
【００１０】
（３）上記(１)または(２)項のいずれかにおいて、保持部材に、名札差しを前記保持部材の一部とともに前後方向から挟持し、該保持部材を前記名札差しに対して着脱自在に取り付けるための締着手段を設ける。
【００１１】
（４）上記(３)項において、締着手段が、保持部材に螺着させた固定ねじであり、該固定ねじを係合部材の取付孔を貫通させて設ける。
【００１２】
（５）上記(３)項において、締着手段が、保持部材に設けたねじ孔に螺合する固定ねじであり、該固定ねじを係合部材に圧着させ、前記固定ねじによる前記係合部材への圧着と、前記保持部材の一部による前記名札差しへの圧着とにより、前記名札差しを挟持し、前記保持部材を前記名札差しに取り付ける。
【００１３】
(６)上記(１)〜(５)項のいずれかにおいて、保持部材が、名札差し側から後方に向かって標準棚板の下側に沿って水平に配置され、前記標準棚板を下側から水平に保持するようにした標準棚板用保持部を備える。
【００１４】
(７)上記(１)〜(６)項のいずれかにおいて、補助棚板の前端部に補助棚板用名札差しを設ける。
【発明の効果】
【００１５】
本発明によると、次のような効果を奏することができる。
（ａ）請求項１記載の発明によれば、名札差しに取り付けられた保持部材が、補助棚板の下面を下側から支えて保持するので、保持部材が補強材の機能をなし、標準棚板の前端部より前方に延出する補助棚板の強度が増す。したがって、補助棚板上に重量物を載せても、水平状態を保つことが可能になり、前垂れが防止される。また、強度が増すことによって、補助棚板の突出量を大きくすることも可能になる。さらに、補助棚板の差し込み片を、上方より名札差し溝内に嵌入して取り付けているので、補助棚板は、標準棚板に対して強固に取り付けられ、衝撃等で補助棚板が標準棚板から簡単に外れるのを防止することができる。反対に、係合溝内から差し込み片を引き抜くことにより、補助棚板を簡単に取り外すことができる。
【００１６】
（ｂ）請求項２記載の発明によれば、係合部材が名札差しの前下端部に係合することにより、差し込み片とこの係合部材とにより、名札差しを前上方よりほぼ上下から抱持する形となり、補助棚板が標準棚板に対して、上下方向に移動するのを阻止することができるとともに、前下方に回動するのを防止することができる。
【００１７】
（ｃ）請求項３記載の発明によれば、締着手段が名札差しを保持部材の一部とともに名札差しを前後方向から締着し、保持部材を名札差しに対して着脱自在に保持するので、締着手段を操作することにより、補助棚板の着脱操作を簡単に行うことができる。
【００１８】
（ｄ）請求項４記載の発明によれば、締着手段に固定ねじを使用しているので、固定ねじを回転操作することによって、保持部材の着脱を簡単に行うことができる。また、係合部材を貫通するようにして固定ねじを設けているので、係合部材の上下方向への移動がこの固定ねじによって阻止され、補助棚板の上下方向の移動を確実に防止することができる。
【００１９】
（ｅ）請求項５記載の発明によれば、締着手段に固定ねじを使用しているので、固定ねじを回転操作することによって、保持部材の着脱を簡単に行うことができる。また、係合部材に圧着させるようにして固定ねじを設け、この固定ねじと保持部材の一部とにより、係合部材と名札差しとを締付けるようにしたので、補助棚板を標準棚板に強力に結合することができる。
【００２０】
（ｆ）請求項６記載の発明によれば、保持部材が、名札差しより後方に向かって水平に延出し、この水平に延出する部分標準棚板の下面を下側から水平に支えて保持するので、標準棚板の前端部における強度が増す。
【００２１】
（ｇ）請求項７記載の発明によれば、補助棚板の前端部に補助棚板用名札差しを設けているので、標準棚板に補助棚板が取り付けられて、標準棚板用の名札差しが補助棚板で隠れて使用不能になっても、補助棚板用の名札差しを使用して商品名や価格を表示したプライスカード等を取り付けることができる。
【発明を実施するための最良の形態】
【００２２】
以下、本発明の一実施形態を、図面に基づいて説明する。
図１は、本発明の商品陳列装置の全体を示す。図１において、商品陳列装置(１)は、左右１対の支柱(２)(２)の前面に、多数の係合孔(３)を上下方向に並べて設け、左右の任意所望の係合孔(３)にそれぞれ棚板支持用ブラケット(４)を取り付け、左右の棚板支持用ブラケット(４)(４)の上面に標準棚板(５)の両側部を支持させてある。標準棚板(５)の前端部(5ａ)には、この標準棚板(５)の前方へ水平に延出するように、補助棚板(６)が着脱自在に取り付けられている。
【００２３】
図２〜図４は、本発明の商品陳列装置の最も特徴としている標準棚板(５)と補助棚板(６)との連結構造を示し、図２は、標準棚板(５)に補助棚板(６)を取り付けて標準棚板(５)の下側から見た図で、図３は図１におけるIII−III線拡大縦断側面図、図４は図３の要部分解図である。
【００２４】
標準棚板(５)の前片(5a)は下方に向かってほぼ直角に折り曲げられ、その下端部には、さらに内側に向かって上向きコ字状に折り返された上向き折り返し部(5b)が設けられている。また、前片(5a)の前面には、商品名や価格等を表示したプライスカード等を取り付けるための名札差し(７)が取り付けられている。
【００２５】
名札差し(７)は、上部に前向段部(7a)を有する垂直の基片(7b)と、前向段部(7a)の上端より前方に倒立Ｕ字状に折り返された折り返し部(7c)と、基片(7b)の下端より前下方に延出する傾斜片(7d)と、傾斜片(7d)の下端より上方に折り曲げられた起立片(7e)とからなり、この起立片(7e)の内側と折り返し部(7c)の内側とに、プライスカード（図示略）の上下部を係合させて、プライスカード等を若干後傾状態で保持しうるようになっている。
【００２６】
標準棚板(５)の前片(5a)と名札差し(７)との間には、上方に開口する幅狭の係合溝(８)が、左右方向に連続するように形成されている。
この係合溝(８)には、別のプライスカードや、商品の落下防止用の仕切板（図示略）等を嵌合することができるが、本発明においては、この係合溝(８)を利用している。
【００２７】
補助棚板(６)は、後端部(6a)が標準棚板(５)の前片(5a)に対応した直線状に形成され、前部は、中央部が前方に突出する平面視扇形に形成されている。その前側の縁部下面には、平面視円弧状をなし、かつ断面形状が後向コ字状をなす縁材(９)が固着されている。縁材(９)の前面には、上下の端部を前方に倒立Ｕ字状およびＵ字状に折り返した薄形の名札差し(11)が固着されている。
【００２８】
補助棚板(６)の後端部(6a)には、下側にほぼ直角に折り曲げられ、かつ係合溝(８)に着脱可能に嵌入される差し込み片(10)が設けられている。差し込み片(10)と縁材(９)との間における補助棚板(６)の下面には、差し込み片(10)と平行に並んだ状態にして、係合部材(12)が取り付けられている。係合部材(12)の上端は補助棚板(６)の下面に溶接により固定され、下端には後方(差し込み片(10)側)に向かってほぼ直角に折り曲げられてなる係合片(12a)が設けられている。その係合部材(12)のほぼ中央の位置には、通孔(13)が前後に貫通して設けられている。
【００２９】
このように形成された補助棚板(６)は、標準棚板(５)に保持部材(14)を用いて連結される。保持部材(14)は、商品陳列装置(１)の前後方向を向き、かつ、標準棚板(５)と補助棚板(６)とにまたがって、名札差し(７)に着脱自在に取り付けられる。その保持部材(14)は、標準棚板(５)における前片(5a)の後面側で、上向き折り返し部(5b)と標準棚板(５)の下面との間の隙間を突出部(15)で埋めて、標準棚板(５)の下側を水平な状態で支えて保持する正面視上向きコ字状の標準棚板用保持部(14a)と、その下端から前方に向かってほぼ水平に延出する水平連結部(14b)と、この水平連結部(14b)の前端部分から上方に向かってほぼ直角に延設された垂直連結部(14c)と、その垂直連結部(14c)の上端部から前方に向かってほぼ直角に延設され、かつ、補助棚板(６)の後端部の下面を水平な状態で支えて保持する補助棚板用保持部(14d)とを備えている。また、垂直連結部(14c)のほぼ中央の位置には、ねじ孔(16)が係合部材(12)の通孔(13)に対応して設けられている。このねじ孔(16)には、固定ねじ(17)が螺合可能になっている。
【００３０】
次に、標準棚板(５)の前端部に補助棚板(６)を装着する手順を説明する。まず、標準棚板(５)の係合溝(８)に補助棚板(６)の差し込み片(10)を嵌入させながら、係合部材(12)の係合片(12a)を名札差し(７)の前下端部に係合させ、さらに補助棚板(６)の下面が名札差し(７)の上端部と当接するまで、差し込み片(10)を係合溝(８)内に嵌入させる。これにより、補助棚板(６)は、その差し込み片(10)と係合部材(12)とにより、名札差し(７)を前上方から抱持することにより、上下方向への移動と前下方への回動が阻止された状態で、標準棚板(５)の前端部に仮止めされる。
【００３１】
続いて、さらに補助棚板(６)の取り付けを強固なものとするために、保持部材(14)を標準棚板(５)の前端部に取り付ける。この保持部材(14)の取り付けでは、突出部(15)を前片(5a)の裏面(後面)に当接させるとともに、標準棚板用保持部(14a)の上面を標準棚板(５)の下面に当接させ、さらに補助棚板用保持部(14d)の上面を補助用棚板(６)の下面に当接させるようしてに、保持部材(14)を前片(5a)と名札差し(７)との下方より嵌合する。
【００３２】
次いで、保持部材(14)のねじ孔(16)に締着手段としての固定ねじ(17)をねじ込み、この固定ねじ(17)の先端を、係合部材(12)の通孔(13)を貫通させて、さらに名札差し(11)の前面に当接させて締め付ける。これにより、固定ねじ(17)の先端と標準棚板用保持部(14a)の前面とにより、名札差し(７)と前片(5a)とが挟持され、保持部材(14)が前片(5a)および名札差し(７)に対して強固に固定され、補助棚板(６)の標準棚板(５)に対する装着が完了する。
【００３３】
このようにして前片(5a)および名札差し(７)に取り付けられた保持部材(14)は、標準棚板用保持部(14a)が前片(5a)の背面から後方向に向かって標準棚板(５)の下面に沿って水平に配置され、この標準棚板用保持部(14a)が前片(5a)の下面を下側から水平に支えて補強する状態で保持するとともに、補助棚板用保持部(14d)が名札差し(７)より前方に向かって補助棚板(６)の下面に沿って水平に配置され、この補助棚板用保持部(14d)が補助棚板(６)の中央部の下面を下側から水平に支えて強固に保持することができる。
【００３４】
また、このようにして標準棚板(５)に取り付けられた補助棚板(６)を再び取り外す場合は、取付時の作業と反対の手順をたどることによって簡単に取り外すことができる。
【００３５】
したがって、この実施形態における構造によれば、名札差し(７)に取り付けられた保持部材(14)が標準棚板(５)と補助棚板(６)との連結部分における補強材として機能しているので、標準棚板(５)より前方に延出する補助棚板(６)の強度が増す。これにより、補助棚板(６)の上に重量物を載せても水平状態を保つことができ、また強度が増すことによって補助棚板(６)の突出量を大きくすることも可能になる。さらに、補助棚板(６)の後端部(6a)に設けられている差し込み片(10)を、係合溝(８)内に上方より嵌入することにより、補助棚板(６)が標準棚板(５)に対して強固に取り付けられ、衝撃等で、補助棚板(６)が標準棚板(５)から簡単に外れるのを防止できる。反対に、差し込み片(10)を係合溝(８)内から引き抜くと簡単に取り外すことができる。
【００３６】
また、補助棚板(６)が名札差し(７)に対して上方へ移動するのを阻止するとともに、前下方へ回動するのを阻止する抱持部材(12)を補助棚板(６)の後端部に設けているので、この係合部材(12)も標準棚板(５)と補助棚板(６)との連結部分における補強材として機能する。
【００３７】
さらに、挟持手段としての固定ねじ(17)の締め付けを操作することによって、補助棚板(６)の着脱操作を簡単に行うことができる。
【００３８】
補助棚板(６)の前端部に補助棚板用の名札差し(11)を設けているので、標準棚板(５)に補助棚板(６)が取り付けられて、標準棚板用の名札差し(７)が補助棚板(６)により隠れて使用不能になっても、補助棚板用の名札差し(11)を使用して、商品名や価格を表示したプライスカード等を取り付けることができる。
【００３９】
以上、本発明の実施形態について説明したが、特許請求の範囲を逸脱しない範囲内で、上記実施形態に種々の変形や変更を施すことも可能である。
例えば、上記実施形態における係合部材(12)に通孔(13)を設けないで、固定ねじ(17)の後端で係合部材(12)を後方に押圧するようにし、固定ねじ(17)の後端と保持部材(14)の標準棚板用保持部(14a)との間に、係合部材(12)と名札差し(７)と前片(5a)とを挟着するようにしてもよい。
【図面の簡単な説明】
【００４０】
【図１】本発明の一実施形態である商品陳列装置の全体斜視図である。
【図２】同上商品陳列装置における標準棚板と補助棚板との連結構造を標準棚板の下側から見た拡大平面図である。
【図３】図１におけるIII−III線拡大縦断側面図である。
【図４】図３の要部分解図である。
【符号の説明】
【００４１】
(１)商品陳列装置
(２)支柱
(３)係合孔
(４)棚板支持用ブラケット
(５)標準棚板
(5a)前片
(5b)上向き折り返し部
(６)補助棚板
(6a)後端部
(７)名札差し
(7a)前向段部
(7b)基片
(7c)折り返し片
(7d)傾斜片
(7e)起立片
(８)係合溝
(９)縁材
(10)差し込み片
(11)名札差し
(12)係合部材
(12a)係合片
(13)通孔
(14)保持部材
(14a)標準棚板用保持部
(14b)水平連結部
(14c)垂直連結部
(14d)補助棚板用保持部
(15)突出部
(16)ねじ孔
(17)固定ねじ(挟持手段)
【図１】
2006223695.tif 000003
【図２】
2006223695.tif 000004
【図３】
2006223695.tif 000005
【図４】
2006223695.tif 000006